(57)【要約】【課題】端末使用者には表示パネルの表示内容が視認でき、周囲の他者からは視認できないような見開き型表示端末、及びその表示方法を提供する。【解決手段】角度検出部が表示パネル１１、１２の見開き角度を検出し、距離測定部は利用者の視点と見開き型表示端末１との間の距離を測定する。制御部は、検出した見開き角度と測定された距離とに基づいて、これに対応するスラット１７、１８の最適な傾き角を、記憶部に記憶される最適スラット傾き角判別テーブルから読み出す。読み出されたスラット傾き角に基づいて、モータ駆動部がスラット１７、１８の傾き角を制御する。これにより、端末利用者には表示パネル１１、１２の表示内容が視認できるが、他者からは視認できないような、見開き型表示端末１の表示状態を得る。【選択図】  図１
2005010291.tif 000002
【特許請求の範囲】
【請求項１】
開閉可能に配置された２枚の表示パネルから構成される見開き型表示端末であって、
表示パネルの見開き角度を検出する検出手段と、
利用者の視点と該見開き型表示端末との間の距離を測定する距離測定手段と、
前記検出手段により検出された見開き角度と前記距離測定手段により測定された距離とに基づいて、表示パネルの最大視覚方向が前記利用者の視点を向くように、前記表示パネルを制御する制御手段と、
を備えることを特徴とする見開き型表示端末。
【請求項２】
開閉可能に配置された２枚の表示パネルと、該表示パネルを覆う短冊状の複数の被覆片と、を備える見開き型表示端末であって、
表示パネルの見開き角度を検出する検出手段と、
利用者の視点と該見開き型表示端末との間の距離を測定する距離測定手段と、
前記検出手段により検出された見開き角度と前記距離測定手段により測定された距離とに基づいて、前記利用者の視点から、前記表示パネルの表示が見えるように、
前記複数の被覆片の前記表示パネルの表示面に対する角度を制御する被覆片制御手段と、
を備えることを特徴とする見開き型表示端末。
【請求項３】
前記複数の被覆片は、前記２枚の表示パネルの三平機軸にほぼ平行に、所定の間隔で配置され、前記表示パネルの表示面上で、前記三平機軸に平行な軸を中心に回転可能に配置されており、
前記被覆片制御手段は、各前記被覆片の回転角を制御する、
ことを特徴とする請求項２に記載の見開き型表示端末。
【請求項４】
前記距離測定手段により測定された距離又は前記検出手段により検出された見開き角度が基準値範囲を逸脱する場合、表示パネルの表示をオフにする手段を備える、
ことを特徴とする請求項２又は３に記載の見開き型表示端末。
【請求項５】
開閉可能に配置された２枚の表示パネルから構成される見開き型表示端末の見開き角度を検出し、
利用者の視点と該見開き型表示端末との間の距離を測定し、
前記検出された見開き角度と測定された距離とに基づいて、表示パネルの最大視覚方向が前記利用者の視点を向くように、前記表示パネルを制御する、
ことを特徴とする見開き型表示端末の制御方法。
【発明の詳細な説明】
【０００１】
【発明の属する技術分野】
本発明は、開閉可能に配置された２枚の表示パネルから構成され、見開き状態にして使用する表示端末とその制御方法に関する。
【０００２】
【従来の技術】
近年の情報技術の進化により、利便性等の観点から多種多様な端末が考えられている。その一つとして、２枚の液晶表示パネルを開閉可能に配置して、見開き状態にして使用する見開き型表示端末が提案されている（例えば、特許文献１参照。）。
【０００３】
【特許文献１】
特開平１０−２８８９５２号公報（第３頁、第１図）
【０００４】
【発明が解決しようとする課題】
公衆の場において従来の液晶表示パネルを備える端末を使用する際、使用者は、自己が閲覧しているコンテンツを他者から視認されてしまうことがあった。特に、上記のような見開き型表示端末では、「他人に自分が読んでいるコンテンツを覗き見される」という精神的不安から、表示パネルを大きく見開いた状態で使用することができず、コンテンツを閲覧するためには使用者自身が覗き見をしなければならない、というような本末転倒の事態が起きていた。また逆に、端末使用者自身は他人の視線を気にしていなくても、端末使用者以外の人々が「見たくないコンテンツ」を誤って視認してしまい、精神的苦痛を受けるようなケースもあった。
【０００５】
本発明は、上記実状に鑑みてなされたものであり、使用者が閲覧しているコンテンツを周囲にいる他者が視認できないようにすることができる見開き型表示端末及びその制御方法を提供することを目的とする。
【０００６】
【課題を解決するための手段】
上記目的を達成するため、本発明の第１の観点に係る見開き型表示端末は、
開閉可能に配置された２枚の表示パネルから構成される見開き型表示端末であって、
表示パネルの見開き角度を検出する検出手段と、
利用者の視点と該見開き型表示端末との間の距離を測定する距離測定手段と、
前記検出手段により検出された見開き角度と前記距離測定手段により測定された距離とに基づいて、表示パネルの最大視覚方向が前記利用者の視点を向くように、前記表示パネルを制御する制御手段と、
を備えることを特徴とする。
【０００７】
また、本発明の第２の観点に係る見開き型表示端末は、
開閉可能に配置された２枚の表示パネルと、該表示パネルを覆う短冊状の複数の被覆片と、を備える見開き型表示端末であって、
表示パネルの見開き角度を検出する検出手段と、
利用者の視点と該見開き型表示端末との間の距離を測定する距離測定手段と、
前記検出手段により検出された見開き角度と前記距離測定手段により測定された距離とに基づいて、前記利用者の視点から、前記表示パネルの表示が見えるように、前記複数の被覆片の前記表示パネルの表示面に対する角度を制御する被覆片制御手段と、
を備えることを特徴とする。
【０００８】
前記複数の被覆片は、例えば、前記２枚の表示パネルの見開き軸にほぼ平行に、所定の間隔で配置され、前記表示パネルの表示面上で、前記見開き軸に平行な軸を中心に回転可能に配置される。この場合、前記被覆片制御手段は、各前記被覆片の回転角を制御する。
【０００９】
また、測定された距離又は検出された見開き角度が基準値範囲を逸脱する場合に、表示パネルの表示をオフにする手段を配置してもよい。
【００１０】
また、本発明の第３の観点に係る見開き型表示端末の制御方法は、
開閉可能に配置された２枚の表示パネルから構成される見開き型表示端末の見開き角度を検出し、
利用者の視点と該見開き型表示端末との間の距離を測定し、
前記検出された見開き角度と測定された距離とに基づいて、表示パネルの最大視覚方向が前記利用者の視点を向くように、前記表示パネルを制御する、
ことを特徴とする。
【００１１】
【発明の実施の形態】
以下、本発明の実施の形態に係る見開き型表示端末について図面を参照して説明する。
【００１２】
本発明の実施の形態に係る見開き型表示端末１の正面図を図１に、側面図を図２に示す。図示されるように、この見開き型表示端末１は表示パネル１１、１２と、表示パネルを支える基板１３、１４と、各基板１３、１４を結合させる結合部１５（１５ａ、１５ｂ）と、測距センサ１６と、表示パネル１１、１２上に配設された複数のスラット１７、１８と、を備える。
【００１３】
表示パネル１１、１２は、比較的広い視野角のアクティブマトリックスタイプのカラー液晶表示素子、エレクトロルミネッセンス表示パネル等の省電力型の表示パネルから構成され、任意の画像を表示する。
基板１３と１４とは、それぞれ、表示パネル１１、１２を支えると共にカバーとして機能する。
結合部１５は、基板１３と１４とに支持された表示パネル１１と１２とを、本のように開閉可能に連結する。具体的には、結合部１５ａは一方の基板１３に連結され、結合部１５ｂは他方の基板１４に連結されている。そして、結合部１５ａは、結合部１５の内部に存在する回転軸により回転可能に連結される。これにより、表示パネル１１と１２とは回転軸を中心に回動して、開閉可能となり、その見開き角度を調整することができる。
【００１４】
測距センサ１６は、表示パネル１１、１２の間（装置中央部）に設けられ、対象物とセンサ間の距離を測定するためのものである。利用者が表示パネル１１、１２に表示される情報を読む場合、例えば図３に示すように、利用者の頭部は見開き型表示端末１の真正面に位置する。測距センサ１６は、利用者の視点と本装置の距離とを計測する。
【００１５】
複数のスラット１７は、短冊状の外形を有し、図４に示すように、表示パネル１１の回転軸にほぼ平行に配置され、さらに、両端が基板１３の上面に回転軸１７ａを中心にして回転可能に固定され、表示パネル１１に跨るように配設されている。また、スラット１７の上部には細いシャフト１９が挿通されている。シャフト１９には、複数の係合部が形成されており、各係合部は各スラット１７と係合している。このシャフト１９がその軸方向に移動（スライド）することにより、シャフト１９の係合部に係合した、スラット１７の表示パネル１１の表面（表示面）に対する角度が変化する。
なお、スラット１８はスラット１７と同様の形状を有する。
【００１６】
シャフト１９は、小型直動モータ２０によって駆動され、図４に矢印で示すように、図面横方向（スラット１７に対して直角方向）に移動（シフト）する。その際、各スラット１７のシャフト１９に対する位置は固定されているため、スラット１７は、表示パネル１１への接着面を中心として、シャフト１９の動きに合わせて回転する。
【００１７】
図５は、見開き型表示端末１の制御回路を示すブロック図である。図示されるように、見開き型表示端末１は、角度検出部２１と、距離測定部２２と、制御部２３と、表示部２４と、記憶部２５と、モータ駆動部２６と、小型直動モータ２０と、を備える。
【００１８】
角度検出部２１は、結合部１５に内蔵される回転軸に接続されているロータリーエンコーダ（図示せず）等から構成され、表示パネル１１、１２間の見開き角度（図３に示す角度β）を検出し、検出結果を制御部２３に供給する。
【００１９】
距離測定部２２は、測距センサ１６等から構成され、利用者とセンサの間の距離Ｌ（図３に示す距離Ｌ）を測定し、測定結果を制御部２３に供給する。
【００２０】
表示部２４は、上述の表示パネル１１と１２とを備え、任意のコンテンツを表示する。
制御部２３は、データ処理、画像表示制御処理をおこなって、表示部２４にコンテンツを表示する。また、制御部２３は、角度検出部２１から取得した表示パネル１１、１２間の見開き角度φと、距離測定部２２から取得した利用者と測距センサ１６の間の距離Ｄと、を用いて、スラット１７、１８の最適な傾き角εｂを求め、この最適傾き角εｂを得るためにシャフト１９の基準位置からの移動距離（Ｄ）を求めて、これをモータ駆動部２６に通知する。
【００２１】
モータ駆動部２６は、小型直動モータ２０を制御して、シャフト１９を制御部２３から通知された距離Ｄだけ移動（スライド）させ、スラット１７、１８の傾き角εを使用者に最も見やすい角度εｂとする。
【００２２】
記憶部２５は、例えば半導体メモリ、ハードディスク等から構成され、図６（ａ）に例示するような、見開き型表示端末１と使用者との距離Ｌと、表示パネル１１、１２の見開き角βとに対応して、利用者のみが表示パネル１１、１２を視認できるようなスラット１７、１８の最適な角度εｂとを対応付けて記憶する。
また、記憶部２５は、図６（ｂ）に示すようなシャフト移動量判別テーブルＴ２を記憶する。このシャフト移動量判別テーブルＴ２は、スラット１７、１８の各傾き角εについて、その角度を得るためのシャフト１９の移動距離（基準位置に対応するシフト量）Ｄを格納する。
【００２３】
なお、この見開き型表示端末１において、表示パネル１１、１２に表示させる情報は任意であり、例えば、図示せぬ通信制御部を介してインターネットに接続して取得したコンテンツを表示するようにしてもよく、また、図示せぬ記録媒体制御部を介して、ＣＤ−ＲＯＭ、ＤＶＤ等の記録媒体から読み出した映像を表示してもよい。また、この見開き型表示端末１は図示せぬ入力手段を備えても良く、その構成は任意である。例えば、タッチパネルや入力キー等により入力部を構成してもよく、また、入力装置を本装置に接続するようにしてもよい。
【００２４】
次に、この見開き型表示端末１により実行される表示調整処理を図７のフローチャートを参照して説明する。
【００２５】
本装置の電源が投入されると、距離測定部２２が制御部２３からの指示に従って、利用者の視点と本装置との距離Ｌを測定し、測定結果を制御部２３に供給する。制御部２３は、測定された距離Ｌを取り込む（ステップＳ１１）。また、角度検出部２１は、結合部１５に内蔵されている回転軸の回転量から表示パネル１１、１２の見開き角度φを測定し、測定結果を制御部２３に供給する。制御部２３は、測定された見開き角度βを取り込む（ステップＳ１２）。
制御部２３は、取り込んだ距離Ｌと角度βとが、予め定められている基準範囲内にあるか否かを判別する（ステップＳ１３）。
距離Ｌと見開き角βとの少なくとも一方が基準範囲外であると判別した場合（ステップＳ１３：Ｎｏ）、表示パネル１１、１２の電源をオフにする（ステップＳ１４）。例えば、距離Ｌが第１の基準より大きい場合には、利用者が本装置の前方にいない場合であり、距離Ｌが第２の基準より小さい場合には、表示パネル１１と１２とが閉じられていると考え、これらの場合には、表示パネル１１と１２の電源をオフにする。
【００２６】
一方、距離Ｌと見開き角βとが基準範囲内にあると判別された場合（ステップＳ１３：Ｙｅｓ）、制御部２３は、記憶部２５に格納されている最適スラット傾き角判別テーブルＴ１をアクセスし、距離Ｌと見開き角βとに基づいて、スラット１７、１８の最適傾き角εｂを求める（ステップＳ１５）。この最適傾き角εｂは、前述のように、利用者と見開き型表示端末１との距離がＬで、表示パネル１１と１２との見開き角がβの場合に、利用者に画像（コンテンツ）が最も見やすく、且つ、他者からは、スラット１７、１８で遮られて、画像が見えにくいように選択された角度である。
【００２７】
次に、制御部２３は、求めた最適傾き角εｂが得られるように、シャフト１９の移動量（スライド量）Ｄを、シャフト移動量判別テーブルＴ２から読み出して、モータ駆動部２６に供給する。モータ駆動部２６は、小型直動モータ２０を駆動・制御して距離Ｄだけシャフト１９を移動させて、スラット１７、１８の最適傾き角をεｂとし（ステップＳ１６）、ステップＳ１１に戻る。
上記の処理を常時又は所定の時間毎に繰り返すことにより、利用者の視点位置に応じて、スラットの角度を動的に変化させ、利用者のみが表示内容を視認できる、最適な表示状態を保持することができる。
【００２８】
次に、記憶部２５に格納される最適スラット傾き角判別テーブルＴ１と、シャフト移動量判別テーブルＴ２の設定方法について図８を参照して説明する。
【００２９】
図８において、
ｃ：（左右の眼の間隔）÷２
Ｌ：装置中央部と視点位置との距離
φ：Ｘ方向と表示パネルとの角度（＝（２／π−β）／２）
ａ：表示パネルの幅
θ１：表示パネルの端を基点とし、そこから最も離れている眼のＸ方向に対する角度
θ３：表示パネルの中央を基点とし、眼のＹ方向に対する角度、とする。
【００３０】
この場合、
ｈ＝ａ・ｓｉｎφ
ｍ＝ａ・ｃｏｓφ
φ＝（１８０−β）／２
θ１＝ｔａｎ−１（（Ｌ−ｈ）／（ｍ＋ｃ））×１８０／π
θ２＝９０−θ１
θ３＝ｔａｎ−１（ｃ／Ｌ）×１８０／π  となる。
【００３１】
このような条件の下で、表示パネル１１と１２とは、次式で表されるパネル表面に対して角度εｂの方向から見ることが最も見やすい。
【数１】
2005010291.tif 000003
【００３２】
そこで、距離Ｌと角度β毎に、数式１に基づいて、予め角度εｂを求め、これをスラット１７、１８の最適傾き角として、最適スラット傾き角判別テーブルＴ１に設定する。なお、左右の目の間隔２・Ｃは、例えば、一般値を利用する。
【００３３】
続いて、シャフト１９の移動量Ｄとスラット１７、１８の最適傾き角εｂとの関係を実験などで求めて、シャフト移動量判別テーブルＴ２を設定する。
【００３４】
以上説明したように、本実施の形態に係る見開き型表示端末１によれば、２枚の表示パネル１１、１２を見開く状態で使用する端末において、利用者の視点位置と表示パネルの見開き角度βとに応じて表示パネル１１、１２上に配設された複数のスラット１７、１８を回転させてその傾き角εを制御することにより、使用者には見えやすく制御しつつ、他者による覗き見等を排除することができる。これにより、例えば、利用者は周囲の他者の目を気にすることなく、自由にコンテンツ等を閲覧することができる。
【００３５】
なお、数式１に示す最適傾き角εｂの計算方法は一例であり、他の任意の手法を採用可能である。
【００３６】
また、上記実施の形態では、理解を容易にするために、距離Ｌと角度βから、いったん最適傾き角εｂを求め、これを得るためのシャフトの移動量Ｄを求めているが、距離Ｌと角度βから、最適傾き角εｂが得られるような、シャフトの移動量Ｄを直接求めるようにしてもよい。また、テーブルによらず、計算により、シャフトの移動量Ｄを求めるようにしてもよい。さらに、例えば、スラット１７と１８の１枚１枚が、左目と右目の中心点を向くような角度に傾き角εを制御するようにしてもよい。
スラット１７、１８の傾き角εを変更する構成も、シャフト１９と小型直動モータ２０による構成に限定されず、スラット１７、１８を所望の傾き角εに制御できるならば、任意の構成が可能である。例えば、スラット１７、１８の上端側と下端側とにワイヤを配置し、回転モータによりこのワイヤを反対方向に引くことにより、スラット１７、１８の傾き角εを変更するような構成も採用可能である。
また、テーブルを使用せず、毎回、計算により最適傾き角εｂを求め、さらに、一定の関係式からシャフト１９の移動量Ｄを求めるようにしてもよい。
【００３７】
上記実施の形態においては、距離Ｌと見開き角βに応じて、スラット１７、１８の傾き角εを制御することにより、使用者には見やすく、他者には見えにくい環境を生成したが、使用者には見やすく、他者には見えにくい環境を生成できるならば、その手法は任意である。例えば、視野角が狭く、その視野角の方向を印加電圧等に応じて制御できる表示素子を表示パネル１１、１２として使用する場合には、視野角の方向（表示パネル１１、１２を最も見えやすい方向）が、例えば、前述の数式１で示される方向となるように、視野方向を制御すればよい。
【００３８】
なお、制御部２３に上述の、距離Ｌと角度βとに応じて、視野方向を変更する動作を実行させるためのプログラムをコンピュータ読み取り可能な記録媒体（ＲＯＭ、ＦＤ、ＣＤ−ＲＯＭ、ＤＶＤ等）に格納して配布してもよい。また、ネットワークを介して配布してもよい。
また、上述の機能を、ＯＳが分担又はＯＳとアプリケーションの共同により実現する場合等には、ＯＳ以外の部分のみを媒体に格納して配布してもよい。
【００３９】
なお、上記説明では、利用者の視点と装置との距離Ｌを測距センサ１６で測定しているが、距離の決定方法はこれに限定されず任意であり、例えば、一般的な定数を用いるようにしてもよく、また、利用者が自分の体格に合わせて設定するようにしてもよい。
【００４０】
【発明の効果】
本発明によれば、使用者には見えやすく、他者からは見え難いように、表示状態を自動的に調整することができる。
【図面の簡単な説明】
【図１】本発明の実施の形態に係る見開き型表示端末の正面図である。
【図２】本発明の実施の形態に係る見開き型表示端末の側面図である。
【図３】測距センサにより計測される使用者と見開き型表示端末との距離Ｌと見開き型表示端末の見開き角βとについて説明するための図である。
【図４】表示パネル上に配置されるスラットとその駆動機構を説明するための図である。
【図５】見開き型表示端末の制御回路を示すブロック図である。
【図６】図５の記憶部に格納される最適スラット傾き角判別テーブルとシャフト移動量判別テーブルとを説明するための図である。
【図７】スラットの傾き角を制御する表示調整処理を説明するためのフローチャートである。
【図８】図６に示すテーブルに登録するデータの算出方法を説明するための図である。
【符号の説明】
１                見開き型表示端末
１１、１２        表示パネル
１３、１４        基板
１５              結合部
１６              測距センサ
１７、１８        スラット
１９              シャフト
２０              小型直動モータ
２１              角度検出部
２２              距離測定部
２３              制御部
２４              表示部
２５              記憶部
２６              モータ駆動部
【図１】
2005010291.tif 000004
【図２】
2005010291.tif 000005
【図３】
2005010291.tif 000006
【図４】
2005010291.tif 000007
【図５】
2005010291.tif 000008
【図６】
2005010291.tif 000009
【図７】
2005010291.tif 000010
【図８】
2005010291.tif 000011